(57)【要約】【課題】下沓２０に対して上沓１０が傾いた状態での摺動による角部の損傷を抑制できる滑り部材及び支承装置を提供することを目的とする。【解決手段】上部建造物及び下部建造物におけるそれぞれの対向部分に配設した上沓１０及び下沓２０の対向部分における摺動面１０ａ，２０ａ同士が摺動方向Ｌに摺動する一方向支承装置１の上沓１０に、摺動面１０ａを構成するＰＴＦＥやポリアミド等の樹脂製のベアリング３０を備え、ベアリング３０は、摺動面１０ａを構成する底面３０ｂと、底面３０ｂに交差する側面３０ａと、底面３０ｂと側面３０ａとの角部が周状に面取りされたテーパ部４０とが設けられ、テーパ部４０は、傾斜角度の異なるテーパ面４１，４２が備えられ、テーパ面４１，４２は、傾斜角度が側面３０ａ側から底面３０ｂ側に向かって、この順で底面３０ｂの面方向に近づく角度で設定された。【選択図】図１
2019019612.tif 000002
【特許請求の範囲】
【請求項１】
第１建造物及び第２建造物におけるそれぞれの対向部分に配設した第１沓及び第２沓で構成され、前記第１沓及び前記第２沓との対向部分における摺動面同士が摺動する支承装置であって、
前記第１沓及び前記第２沓の少なくとも一方に、前記摺動面を構成する合成樹脂製の滑り部材が設けられ、
前記滑り部材は、前記摺動面を構成する滑り主面と、該滑り主面に交差する側面とを有するとともに、
前記滑り主面と前記側面との角部のうち少なくとも一部に、面取りされたテーパ部が設けられ、
該テーパ部は、
傾斜角度の異なる複数のテーパ面が備えられ、
複数の該テーパ面は、
前記傾斜角度が前記側面側から前記滑り主面側に向かって、この順で前記滑り主面の面方向に近づく角度で設定された
支承装置。
【請求項２】
前記テーパ部は、少なくとも摺動方向に交差する部分に設けられた
請求項１に記載の支承装置。
【請求項３】
前記テーパ部が、前記摺動方向に直交する摺動直交方向と前記摺動方向との両方に設けられた
請求項２に記載の支承装置。
【請求項４】
前記テーパ部を構成する複数のテーパ面は、前記テーパ面における斜面長さが等しく設定された
請求項１乃至３のうちいずれかに記載の支承装置。
【請求項５】
第１建造物及び第２建造物におけるそれぞれの対向部分に配設した第１沓及び第２沓で構成され、前記第１沓及び前記第２沓との対向部分における摺動面同士が摺動する支承装置において、前記第１沓及び前記第２沓の少なくとも一方の前記摺動面を構成する合成樹脂製の滑り部材であって、
前記摺動面を構成する滑り主面と、
該滑り主面に交差する側面と、
前記滑り主面と前記側面との角部のうち少なくとも一部に面取りされたテーパ部とが設けられ、
該テーパ部は、
傾斜角度の異なる複数のテーパ面が備えられ、
複数の該テーパ面は、
前記傾斜角度が前記側面側から前記滑り主面側に向かって、この順で前記滑り主面の面方向に近づく角度で設定された
滑り部材。
【発明の詳細な説明】
【技術分野】
【０００１】
この発明は、例えば、橋梁等における橋脚等の下部建造物で、主桁等の上部建造物を支持する支承装置及び支承装置を構成する滑り部材に関する。
【背景技術】
【０００２】
従来より、例えば、橋梁、免震建造物、あるいは固定建造物同士を接続する接続部分等の振動や相対変位が生じる建造物において、可動支持する支承装置がある。このような、支承装置は、主桁等の被支持建造物と、橋脚等の支持建造物との間に配設され、被支持建造物に固定された上沓と、支持建造物に固定された下沓との境界面、つまり摺動面が摺動することで、境界面における面内方向に変位可能に支持することができる。
【０００３】
例えば、特許文献１に記載の免震装置もそのひとつである。特許文献１に記載の免震装置は、一方向に長い沓を直交する向きで対向させて配置することで全方向に可動できる可動支承を構成している。
【０００４】
また、特許文献１では、摺動面を構成する一方向に長い略帯状の滑り部材における長手方向に沿った角部が面取りされており、上滑り部材と下滑り部材の摺動が阻害されることを防止できると推認されるが、上沓と下沓とが面取りされたテーパ面の傾斜角度と異なる角度に傾いた状態で摺動すると面取りされたテーパ面を構成する角部に荷重が集中し、滑り部材が損傷するおそれがあった。
【先行技術文献】
【特許文献】
【０００５】
【特許文献１】特開２００４−２３２３６７号公報
【発明の概要】
【発明が解決しようとする課題】
【０００６】
そこで本発明では、第１沓と第２沓とが傾いた状態での摺動による角部の損傷を抑制できる滑り部材及び支承装置を提供することを目的とする。
【課題を解決するための手段】
【０００７】
この発明は、第１建造物及び第２建造物におけるそれぞれの対向部分に配設した第１沓及び第２沓で構成され、前記第１沓及び前記第２沓との対向部分における摺動面同士が摺動する支承装置において、前記第１沓及び前記第２沓の少なくとも一方の前記摺動面を構成する合成樹脂製の滑り部材であって、前記摺動面を構成する滑り主面と、該滑り主面に交差する側面と、前記滑り主面と前記側面との角部のうち少なくとも一部に面取りされたテーパ部とが設けられ、該テーパ部は、傾斜角度の異なる複数のテーパ面が備えられ、複数の該テーパ面は、前記傾斜角度が前記側面側から前記滑り主面側に向かって、この順で前記滑り主面の面方向に近づく角度で設定されたことを特徴とする。  
またこの発明は、上述の滑り部材が前記第１沓及び前記第２沓の少なくとも一方に設けられた支承装置であることを特徴とする。
【０００８】
上記第１建造物及び第２建造物は、例えば、橋脚を第１建造物とし、主桁を第２建造物とする橋梁、ビルを第１建造物とし、ビルとビルとを連絡する渡り廊下を第２建造物とする連絡通路、柱を第１建造物とし、トラス屋根を第２建造物とする屋根構造、あるいは、ビルを第１建造物とし、別のビルを第２建造物とするエキスパンション構造における建造物としてもよい。
【０００９】
上記第１沓及び第２沓は、第１建造物及び第２建造物を上下方向に配置した場合における下沓と上沓とで構成してもよい。  
上述の摺動面同士が摺動する支承装置は、可動支承であり、摺動面における面内方向の一方向に可動する一方向可動支承や二方向に可動する二方向可動支承、あるいは面内方向の任意の方向に可動する全方向可動支承としてもよい。  
また、上述の滑り主面の面方向に近づく角度とは、側面の面方向に対する滑り主面を構成する方向の角度に近づく角度である。
【００１０】
この発明により、第１沓と第２沓とが傾いた状態で摺動しても滑り部材における角部の損傷を抑制することができる。  
詳述すると、側面と滑り主面との角部のうち少なくとも一部に設けられたテーパ部に、前記傾斜角度が前記側面側から前記滑り主面側に向かって、この順で前記滑り主面の面方向に近づく角度で設定された複数のテーパ面が備えられているため、第１沓と第２沓とが傾いて摺動する際において、その傾き角度に応じたテーパ面が摺動することとなり、角部が損傷することを抑制できる。
【００１１】
また、テーパ部を構成する複数のテーパ面は、前記傾斜角度が前記側面側から前記滑り主面側に向かって、この順で前記滑り主面の面方向に近づく角度で設定されているため、テーパ面と滑り主面、テーパ面と側面、あるいはテーパ面同士で構成する角部のなす角度が、例えば、引用文献１に記載の滑り部材に設けられた面取り部のテーパ面と滑り主面、あるいはテーパ面と側面で構成する角部のなす角度に比べ、緩やかな角度（小さな角度変化）になり、角部に対して局所的に荷重が作用しても損傷するおそれを低減することができる。したがって、第１沓と第２沓とが傾いた状態で摺動しても滑り部材における角部の損傷を抑制することができる。
【００１２】
この発明の態様として、前記テーパ部が、少なくとも摺動方向に交差する部分に設けられてもよい。  
この発明により、第１沓と第２沓とが摺動方向に傾いた状態で摺動しても滑り部材における角部の損傷をより抑制することができる。
【００１３】
詳述すると、少なくとも摺動方向に交差する部分に設けられたテーパ部によって、第１沓と第２沓とが摺動方向に傾いて摺動する際に、摺動方向に交差する方向のテーパ面で摺動することができ、角部が損傷することをより確実に抑制できる。
【００１４】
またこの発明の態様として、前記テーパ部が、前記摺動方向に直交する摺動直交方向と前記摺動方向との両方に設けられてもよい。  
この発明により、摺動方向の傾きのみならず、第１沓と第２沓とが摺動方向に交差する方向に傾いて摺動する場合であっても、滑り部材における角部の損傷を抑制することができる。
【００１５】
またこの発明の態様として、前記テーパ部を構成する複数のテーパ面は、前記テーパ面における斜面長さが等しく設定されてもよい。  
この発明により、第１沓と第２沓とが傾いた状態で摺動しても滑り部材における角部の損傷をより抑制することができる。
【００１６】
詳述すると、各テーパ面における摺動面積を同程度で確保できるため、第１沓と第２沓とが傾き、テーパ面で摺動しても、滑り部材における角部の損傷をより抑制することができる。
【発明の効果】
【００１７】
本発明により、第１沓と第２沓とが傾いた状態での摺動による角部の損傷を抑制できる滑り部材及び支承装置を提供することができる。
【図面の簡単な説明】
【００１８】
【図１】一方向支承装置の斜視図。
【図２】一方向支承装置の上面側からの分解斜視図。
【図３】一方向支承装置の底面側からの分解斜視図。
【図４】一方向支承装置の断面図。
【図５】別の実施形態の上沓の説明図。
【図６】全方向支承装置の斜視図。
【発明を実施するための形態】
【００１９】
この発明の一実施形態を以下図面と共に説明する。  
図１は一方向支承装置１の斜視図を示し、図２は一方向支承装置１の上面側からの分解斜視図を示し、図３は一方向支承装置１の底面側からの分解斜視図を示し、図４は一方向支承装置１の断面図を示している。詳しくは、図４（ａ）は一方向支承装置１の断面図を示し、図４（ｂ）は図４（ａ）におけるｂ部の拡大図を示している。
【００２０】
一方向支承装置１は、上部建造物と下部建造物との間に配設されて免震構造を構成する免震装置であり、上部建造物に固定された上沓１０（ベースポット１０）と、下部建造物に固定された下沓２０（ソールプレート２０）とで構成され、上沓１０と下沓２０の境界面、つまり摺動面１０ａ，２０ａが摺動することで、境界面（摺動面）における面内方向のうち摺動方向Ｌに変位可能に支持し、例えば、地震や強い風等による振動エネルギを上部構造物に直接伝えないようにすることができる。
【００２１】
詳しくは、一方向支承装置１は、図１に示すように、上部建造物（図示省略）の底面に固定され、上沓として機能するベースポット１０と、下部建造物（図示省略）の上面に固定され、下沓として機能するソールプレート２０とで構成されている。
【００２２】
下沓として機能するソールプレート２０は、摺動方向Ｌに長い平面視長方形状に形成されるとともに、下部建造物（図示省略）の上面に配置されている。そして、ソールプレート２０は、幅広のベース部２２と、レール部２３と、張出しフランジ部２４とで断面エ型に構成されたソールプレート本体２１とともに、張出しフランジ部２４の上面に固定されたスライドプレート２５を備えている。スライドプレート２５は、溶接または周囲をビス留めすること張出しフランジ部２４に固定されている。
【００２３】
スライドプレート２５は、表面に平滑処理が施された鋼製のプレートで構成されており、後述するベアリング３０の外径よりひとまわり大きな幅員方向Ｗの長さで形成している。また、ソールプレート本体２１は、下部建造物（図示省略）の上面に直接配置せずとも、下部建造物（図示省略）の上面に設置したメイソンリープレート上に配置、固定してもよい。
【００２４】
上沓として機能するベースポット１０は、鋼製であるとともに、上述のベース部２２と同じ幅員方向Ｗの長さを有する幅員方向Ｗに長い長方形状のベースポット本体１２と、ベースポット本体１２の底面側中央に形成した装着凹部１２ａに装着した平面視円形状のベアリング３０とで構成している。
【００２５】
詳しくは、ベースポット１０は、図２に示すように、アッパープレート１１と、上述の張出しフランジ部２４より幅広の逆向き凹状のベースポット本体１２と、ベースポット本体１２の下端位置において、張出しフランジ部２４の下端位置でレール部２３に向かって突出するストッパ１３とで構成している。
【００２６】
なお、図２において、ベースポット本体１２とストッパ１３とを一体的に図示しているが、別体構成のベースポット本体１２とストッパ１３とを組み付けて構成してもよいし、一体構成としてもよい。また、装着凹部１２ａは、ベアリング３０の高さ方向Ｚの厚みより浅い平面視円形状の凹部である。
【００２７】
ベースポット本体１２の底面側中央の装着凹部１２ａに装着されるベアリング３０は、自己潤滑性を有しており、表面が低摩擦係数であるＰＴＦＥ（ポリテトラフルオロエチレン）やポリアミド等の樹脂製の平面視円形の板状体であり、上述のスライドプレート２５の上面で構成する下沓摺動面２０ａと摺動可能に構成している（図４参照）。
【００２８】
また、ベアリング３０は、上沓摺動面１０ａを構成する底面３０ｂと側面３０ａとの面方向が直交している平面視円形の板状体である。具体的には、高さ方向Ｚの側面３０ａに対して底面３０ｂは高さ方向Ｚに直交する方向に形成され、側面３０ａと底面３０ｂとでなす角部にテーパ部４０を設けている。なお、側面３０ａの面方向は、底面３０ｂの面方向に対して交差する方向であればよく、直交する方向に限らない。
【００２９】
テーパ部４０は、側面３０ａと底面３０ｂとでなす角部を周方向に沿って面取りされ、傾斜角度の異なる周状のテーパ面４１，４２が構成されている。より詳しくは、テーパ部４０において、側面３０ａ側の第１テーパ面４１より、底面３０ｂ側の第２テーパ面４２は、側面３０ａの面方向（高さ方向Ｚ）に直交する底面３０ｂの面方向（奥行方向Ｘまたは幅方向Ｙ）に近い傾斜角度で形成されている。すなわち、第１テーパ面４１の底面３０ｂに対する角度は、第２テーパ面４２の底面３０ｂに対する角度よりも急な角度（急勾配）であり、第２テーパ面４２の底面３０ｂに対する角度は、第１テーパ面４１の底面３０ｂに対する角度よりも緩やかな角度（緩勾配）である。
【００３０】
換言すると、側面３０ａの面方向（高さ方向Ｚ）に対する第２テーパ面４２の傾斜角度４２ｒは、側面３０ａの面方向（高さ方向Ｚ）に対する第１テーパ面４１の傾斜角度４１ｒよりきつい角度で形成されている。なお、本実施形態では、第１テーパ面４１の傾斜角度４１ｒは側面３０ａの面方向（高さ方向Ｚ）に対して４５°で形成されているのに対し、第２テーパ面４２の傾斜角度４２ｒは６０°の角度で形成されている。
【００３１】
なお、傾斜角度４１ｒ，４２ｒは、側面３０ａ側から底面３０ｂ側に近づくにつれ、すなわち、ベアリング３０の基端側（上面側）から先端側（底面３０ｂ側）に近づくにつれ、高さ方向Ｚに対する角度がきつくなっていく傾斜角度であれば、当該角度に限定されず、適宜の傾斜角度で形成してもよい。
【００３２】
また、第１テーパ面４１と第２テーパ面４２とは、図４（ｂ）に示すように、テーパ面４１，４２における斜面長さ４１Ｔ，４２Ｔ、つまりテーパ面４１，４２を構成する縦断面における斜辺の長さが等しくなるように構成している。
【００３３】
なお、第２テーパ面４２における高さ方向Ｚの長さを、第１テーパ面４１における高さ方向Ｚの長さより短く設定することによって、第１テーパ面４１の斜面長さ４１Ｔと、第２テーパ面４２の斜面長さ４２Ｔとが等しくなるように構成している。
【００３４】
具体的には、本実施形態において、側面３０ａの面方向（高さ方向Ｚ）に対して傾斜角度４２ｒが６０°で形成されている第２テーパ面４２における高さ方向Ｚの長さを、傾斜角度４１ｒが４５°で形成されている第１テーパ面４１における高さ方向Ｚの長さに対して約０．７倍となるように構成することで、第１テーパ面４１を構成する縦断面における斜辺４１Ｔと、第２テーパ面４２を構成する縦断面における斜辺４２Ｔとが等しくなるように構成している。
【００３５】
このように、上部建造物（図示省略）及び下部建造物（図示省略）におけるそれぞれの対向部分に配設した上沓１０及び下沓２０で構成され、上沓１０及び下沓２０との対向部分における摺動面１０ａ，２０ａ同士が摺動方向Ｌに摺動する一方向支承装置１において、上沓１０摺動面１０ａを構成するＰＴＦＥやポリアミド等の樹脂製のベアリング３０に、摺動面１０ａを構成する底面３０ｂと、底面３０ｂに直交する高さ方向Ｚの側面３０ａと、底面３０ｂと側面３０ａとの角部を周方向に面取りされたテーパ部４０とが設けられ、テーパ部４０に傾斜角度４１ｒ，４２ｒの異なるテーパ面４１，４２が備えられ、テーパ面４１，４２は、傾斜角度４１ｒ，４２ｒが側面３０ａ側から底面３０ｂ側に向かって、この順で底面３０ｂの面方向に近づく角度で設定したため、つまり、基端側（側面３０ａ側）の第１テーパ面４１より先端側（底面３０ｂ側）の第２テーパ面４２を底面３０ｂの面方向に近い傾斜角度で形成したため、下沓２０に対して上沓１０が傾いた状態で摺動してもベアリング３０における角部の損傷を抑制することができる。
【００３６】
詳述すると、側面３０ａと底面３０ｂとの角部に周状に設けられたテーパ部４０に、傾斜角度が側面３０ａ側から底面３０ｂ側に向かって、この順で底面３０ｂの面方向に近づく角度で設定されたテーパ面４１，４２が設けられているため、下沓２０に対する上沓１０の傾き角度に応じた第１テーパ面４１や第２テーパ面４２で摺動することができるため、角部が損傷することを抑制することができる。
【００３７】
また、テーパ部４０を構成するテーパ面４１，４２は、傾斜角度４１ｒ，４２ｒが側面３０ａ側から底面３０ｂ側に向かって、この順で底面３０ｂの面方向（高さ方向Ｚに直交する方向）に近づく角度で設定されているため、第１テーパ面４１と底面３０ｂ、第２テーパ面４２と側面３０ａ、あるいは第１テーパ面４１と第２テーパ面４２で構成する角部のなす角度が単なるテーパ面を構成した場合に比べて緩やかな角度（小さな角度変化）になり、角部に対して局所的に荷重が作用しても損傷するおそれを低減することができる。したがって、下沓２０に対して上沓１０が傾いた状態で摺動してもベアリング３０における角部の損傷を抑制することができる。
【００３８】
また、テーパ部４０を構成するテーパ面４１，４２は、図４（ｂ）に示すように、テーパ面４１，４２の斜面長さ４１Ｔ，４２Ｔが等しくなるように設定しているため、下沓２０に対して上沓１０が傾いた状態で摺動してもベアリング３０における角部の損傷をより抑制することができる。
【００３９】
詳述すると、テーパ面４１，４２の斜面長さ４１Ｔ，４２Ｔ、つまりテーパ面４１，４２を構成する縦断面における斜辺の長さが等しくなるように設定したことにより、各テーパ面４１，４２における摺動面積を同程度で確保でき、下沓２０に対して上沓１０が傾き、第１テーパ面４１や第２テーパ面４２で摺動しても、ベアリング３０における角部の損傷をより抑制することができる。
【００４０】
なお、上述の説明では、底面視円形のベアリング３０を装着凹部１２ａに装着したが、図５に示すような底面視矩形状のベアリング３１をベースポット本体１２の底面側中央の対応する形状の装着凹部１２ａに装着してもよい。
【００４１】
なお、図５は底面視矩形状のベアリング３１の説明図であり、詳しくは、図５（ａ）はベアリング３１の底面側からの斜視図を示し、図５（ｂ）は図５（ａ）のｃ部の拡大図を示し、図５（ｃ）は図５（ａ）のｃ部における対角方向の断面拡大図を示している。
【００４２】
底面視矩形状のベアリング３１は、平面視矩形の板状体の側面３１ａと摺動面１０ａを構成する底面３１ｂとは面方向が直交する、具体的には、ベアリング３０と同様に、高さ方向Ｚの側面３１ａに対して底面３１ｂは高さ方向Ｚに直交する方向に形成され、側面３１ａと底面３１ｂとでなす角部にテーパ部５０を設けている。なお、側面３１ａの面方向は、底面３１ｂの面方向に対して交差する方向であればよく、直交する方向に限られない。
【００４３】
なお、底面視矩形状のベアリング３１におけるテーパ部５０は、底面視円形状のベアリング３１におけるテーパ部４０とは異なる方向性がある。詳しくは、奥行方向Ｘ及び幅方向Ｙからなる底面視矩形状のベアリング３１を、例えば、奥行方向Ｘが一方向支承装置１における摺動方向Ｌに沿うとともに、幅方向Ｙが摺動方向Ｌに対して直交する向きである幅員方向Ｗに沿うようにベースポット本体１２に組み付けられる。
【００４４】
テーパ部５０は、側面３１ａと底面３１ｂとでなす角部を面取りされた、傾斜角度の異なるテーパ面５１，５２が形成されている。より詳しくは、底面視円形のベアリング３０のテーパ部４０と同様に、側面３１ａ側の第１テーパ面５１より、底面３１ｂ側の第２テーパ面５２は、側面３１ａの面方向（高さ方向Ｚ）に直交する底面３１ｂの面方向（奥行方向Ｘまたは幅方向Ｙ）に近い傾斜角度で形成されている。
【００４５】
また、第１テーパ面５１と第２テーパ面５２とは、第１テーパ面４１と第２テーパ面４２と同様に、図５（ｃ）に示すように、テーパ面５１，５２における斜面長さ５１Ｔ，５２Ｔ、つまりテーパ面５１，５２を構成する縦断面における斜辺の長さが等しくなるように構成している。
【００４６】
なお、本実施形態では、側面３１ａの面方向（高さ方向Ｚ）に対して６０°の角度で形成されている第２テーパ面５２における高さ方向Ｚの長さを、４５°の角度で形成されている第１テーパ面５１における高さ方向Ｚの長さに対して約０．７倍となるように構成することで、第１テーパ面５１の斜面長さ５１Ｔと、第２テーパ面５２の斜面長さ５２Ｔとが等しくなるように構成している。
【００４７】
さらには、テーパ面５１，５２はともに、奥行方向Ｘの奥行方向テーパ面５１Ｘ，５２Ｘと、幅方向Ｙの幅方向テーパ面５１Ｙ，５２Ｙとで構成され、上述したように、ベアリング３１を、奥行方向Ｘが一方向支承装置１における摺動方向Ｌに沿うとともに、幅方向Ｙが幅員方向Ｗに沿うようにベースポット本体１２に組み付けられることで、摺動方向Ｌに対して、幅方向Ｙの幅方向テーパ面５１Ｙ，５２Ｙが直交する向きとなり、奥行方向Ｘの奥行方向テーパ面５１Ｘ，５２Ｘが摺動方向Ｌに沿う向きとなる。
【００４８】
このように構成したテーパ部５０を有するベアリング３１を備えた一方向支承装置１は、上述の底面視円形状のベアリング３０を備えた一方向支承装置１と同様の効果を奏するとともに、摺動方向Ｌと幅員方向Ｗに両方に沿う矩形状に形成されたベアリング３１のテーパ部５０において、摺動方向Ｌに沿う奥行方向テーパ面５１Ｘ，５２Ｘと幅員方向Ｗに沿う幅方向テーパ面５１Ｙ，５２Ｙとの両方を有するため、摺動方向Ｌの傾きのみならず、下沓２０に対して上沓１０が幅員方向Ｗに傾いて摺動する場合であっても、ベアリング３１における角部の損傷を抑制することができる。
【００４９】
もちろん、摺動方向Ｌに対して、奥行方向テーパ面５１Ｘ，５２Ｘが直交する向きとなり、幅方向テーパ面５１Ｙ，５２Ｙが摺動方向Ｌに沿う向きとなるようにベアリング３１を装着してもよい。
【００５０】
また、摺動方向Ｌに対して直交する向きとなるテーパ面が形成されていれば、奥行方向テーパ面５１Ｘ，５２Ｘ及び幅方向テーパ面５１Ｙ，５２Ｙの一方のみを形成してもよいし、奥行方向テーパ面５１Ｘ，５２Ｘ及び幅方向テーパ面５１Ｙ，５２Ｙに加え、奥行方向テーパ面５１Ｘ，５２Ｘ及び幅方向テーパ面５１Ｙ，５２Ｙに交差する向きのテーパ面を設けてもよい。
【００５１】
以上、本発明の構成と、前述の実施態様との対応において、本実施形態の第１建造物は上部建造物に対応し、
以下同様に、
第２建造物は下部建造物に対応し、
第１沓は上沓１０に対応し、
第２沓は下沓２０に対応し、
摺動面は摺動面１０ａ，２０ａに対応し、
摺動方向は摺動方向Ｌに対応し、
支承装置は一方向支承装置１に対応し、
合成樹脂製はＰＴＦＥやポリアミド等の樹脂製に対応し、
滑り部材はベアリング３０，３１に対応し、
滑り主面は底面３０ｂ，３１ｂに対応し、
側面は側面３０ａ，３１ａに対応し、
テーパ部はテーパ部４０，５０に対応し、
複数のテーパ面はテーパ面４１，４２，５１，５２に対応し、
摺動直交方向は幅員方向Ｗに対応するも、上記実施形態に限定するものではない。
【００５２】
上述の説明においては、免震構造における摺動面１０ａ，２０ａにおける面内方向の摺動方向Ｌに可動する一方向支承装置１について説明したが、摺動面１０ａ，２０ａにおける面内方向の二方向に摺動可能な二方向支承装置や、図６に示すように、面内方向における任意の方向に可動する全方向支承装置１ｘとしてもよい。
【００５３】
全方向支承装置１ｘは、一方向支承装置１と同様に、上部建造物と下部建造物との間に配設されて免震構造を構成する免震装置であり、図６に示すように、上部建造物（図示省略）の底面に固定され、上沓として機能するベースポット１０ｘと、下部建造物（図示省略）の上面に固定され、下沓として機能するソールプレート２０ｘとで構成されている。
【００５４】
下沓として機能するソールプレート２０ｘは、平面視正方形状に形成されるとともに、下部建造物（図示省略）の上面に配置されている。そして、ソールプレート２０ｘは、平面視正方形状のソールプレート本体２１ｘと、ソールプレート本体２１ｘの上面に装着され、表面に平滑処理が施された鋼製のプレートで構成された平面視八角形状のスライドプレート２５ｘとで構成されている。
【００５５】
上沓として機能するベースポット１０ｘは、鋼製であるとともに、略直方体形状のベースポット本体１２ｘと、ベースポット本体１２ｘの底面側中央に形成した装着凹部１２ｘａに装着した平面視円形状のベアリング３０ｘとで構成している。なお、図６において、ベースポット本体１２ｘの手前側の一部を切欠いて図示している。また、装着凹部１２ｘａは、ベアリング３０ｘの高さ方向Ｚの厚みより浅い平面視円形状の凹部である。
【００５６】
ベースポット本体１２ｘの底面側中央の装着凹部１２ｘａに装着されるベアリング３０ｘは、一方向支承装置１のベアリング３０と同様に自己潤滑性を有しており、表面が低摩擦係数であるＰＴＦＥやポリアミド等の樹脂製の平面視円形の板状体であり、ベアリング３０の上沓摺動面１０ａと同様に上沓摺動面１０ｘａを底面に有し、上述のスライドプレート２５ｘの上面で構成する下沓摺動面２０ｘａと摺動可能に構成している。また、ベアリング３０ｘは、一方向支承装置１のベアリング３０のテーパ部４０と同様の構成のテーパ部４０ｘが設けられている。
【００５７】
このように、一方向支承装置１のベアリング３０と同じ構成のベアリング３０ｘを有する全方向支承装置１ｘは、ベアリング３０を有する一方向支承装置１と同様の作用・効果を奏することができる。  
なお、一方向支承装置１におけるベアリング３０，３１、あるいは全方向支承装置１ｘにおけるベアリング３０ｘは、装着凹部１２ａ，１２ｘａに装着されたが、ベースポット本体１２，１２ｘにおける適当な箇所に直接、貼り付けなどによって装着してもよい。
【００５８】
また、一方向支承装置１や全方向支承装置１ｘは、例えば橋脚で主桁を支持する場合の支承装置、ビルとビルとを連絡する渡り廊下をビルから支持する場合の支承装置、トラス屋根を柱で支持する場合の支承装置、あるいは、ビル同士を接続するエキスパンション構造における支承装置として用いてもよい。
【００５９】
また、上述の説明における上沓１０の構成を下沓２０に備え、下沓２０の構成を上沓１０に備えた支承装置を構成してもよい。  
さらに、上述のテーパ部４０（５０）では、傾斜角度が異なる第１テーパ面４１（５１）と第２テーパ面４２（５２）とを備えたが、傾斜角度が異なる３種以上のテーパ面でテーパ部を構成してもよい。
【００６０】
しかしながら、傾斜角度の異なる多数のテーパ面を形成すると、断面形状が断面円弧状に近づき、斜面長さが短くなって、摺動面積を確保することが困難となり、角部の損傷抑制効果が低減する。逆に、摺動面積を確保しながら傾斜角度の異なる多数のテーパ面を設けると、底面３０ｂ（３１ｂ）で構成する摺動面１０ａの面積が縮小して、摺動性能が低減するおそれがある。そのため、傾斜角度が異なる複数のテーパ面は４面程度までがより好ましい。
【符号の説明】
【００６１】
１…一方向支承装置
１０…上沓
１０ａ…上沓摺動面
２０…下沓
２０ａ…下沓摺動面
３０，３１…ベアリング
３０ａ，３１ａ…側面
３０ｂ，３１ｂ…底面
４０，５０…テーパ部
４１，５１…第１テーパ面
４２，５２…第２テーパ面
Ｌ…摺動方向
Ｗ…幅員方向
【図１】
2019019612.tif 000003
【図２】
2019019612.tif 000004
【図３】
2019019612.tif 000005
【図４】
2019019612.tif 000006
【図５】
2019019612.tif 000007
【図６】
2019019612.tif 000008